(57)【要約】【課題】  一定のエレベーションの水質を測定できる水質測定装置を実現する。【解決手段】  水中に設けられ一端に錘りが設けられ他端に浮きが設けられたワイヤと、水底から所定距離のワイヤの箇所にそれぞれ取り付けられた複数の取入口と、この複数の取入口を順次切替手段により切り替えて試料を取出手段により取出して水質を測定する水質計とを具備したことを特徴とする水質測定装置である。【選択図】                    図１
2005055238.tif 000002
【特許請求の範囲】
【請求項１】
水中に設けられ一端に錘りが設けられ他端に浮きが設けられたワイヤと、
水底から所定距離のワイヤの箇所にそれぞれ取り付けられた複数の取入口と、
この複数の取入口を順次切替手段により切り替えて試料を取出手段により取出して水質を測定する水質計と
を具備したことを特徴とする水質測定装置。
【請求項２】
前記取入口と前記取出手段とを連結する導水管が使用されたこと
を特徴とする請求項１記載の水質測定装置。
【請求項３】
前記切替手段は、導水管の途中に設けられた切替弁が使用されたこと
を特徴とする請求項１又は請求項２記載の水質測定装置。
【請求項４】
前記取出手段は、電動ポンプが使用されたこと
を特徴とする請求項１乃至請求項３の何れかに記載の水質測定装置。
【請求項５】
前記切替手段，前記取出手段と前記水質計とは、フロート上に設けられたこと
を特徴とする請求項１乃至請求項４の何れかに記載の水質測定装置。
【請求項６】
前記切替手段，前記取出手段と前記水質計の電源は、ソーラパネルあるいはバッテリーが使用されたこと
を特徴とする請求項５記載の水質測定装置。
【請求項７】
前記水質計の測定結果信号は、無線により送信されること
を特徴とする請求項１乃至請求項６の何れかに記載の水質測定装置。
【請求項８】
前記フロートは水位変動係留手段
を具備したことを特徴とする請求項１乃至請求項７の何れかに記載の水質測定装置。
【請求項９】
前記水位変動係留手段は、前記フロートにれ設けられた滑車と、
この滑車に途中が係止され一端に錨が設けられ他端に錘が設けられたワイヤと
を具備したことを特徴とする請求項８記載の水質測定装置。
【請求項１０】
前記水位変動係留手段は、前記フロートの両端側にそれぞれ設けられた２個の滑車と、
この２個の滑車に途中が係止され両端に錨が設けられたワイヤと、
前記２個の滑車間のワイヤに設けられた錘と
を具備したことを特徴とする請求項８記載の水質測定装置。
【発明の詳細な説明】
【技術分野】
【０００１】
本発明は、一定のエレベーションの水質を測定できる水質測定装置に関するものである。
【背景技術】
【０００２】
水質測定装置に関連する先行技術文献としては次のようなものがある。
【特許文献１】特開平６−１８５１８
【０００３】
図２はこのような従来の水質測定装置の一例を示す要部構成説明図である。
図２において、中央部に貫通孔が設けられたフロ−ト１と、このフロ−ト上に設置されワイヤを巻上げ／繰出しするワイヤウインチ装置２と、ワイヤの先端に連結され各種水質計及び水質デ−タを記憶するメモリが搭載された水中センサ部３と、フロ−ト１に設けられたシ−ケンス回路４とが設けられている。
【０００４】
以上の構成において、このシ−ケンス回路４は測定時刻になると、自動的にワイヤウインチ装置２を作動させて水中センサ部３を水中設定深度まで往復移動させ、水中センサ部３は所定深度毎の水質デ−タを各種水質計で測定し記憶する。
【発明の開示】
【発明が解決しようとする課題】
【０００５】
しかしながら、このような装置においては、所定深度毎の水質デ−タを各種水質計で測定しているが、水深何メータという測定方法では、水位変動によりエレベーション換算が必要になる。
電動ウィンチを用いた測定方法では、大電力の電源の確保が必要不可欠なため、大電力の電源の取れない場所での測定ができない。
【０００６】
本発明の目的は、上記の課題を解決するもので、水位の変動に関わらず一定のエレベーションの水質を測定でき、電源のない場所でも自動で測定が可能であり、敷設、移動も容易である。水質測定装置を提供することを目的とする。
【課題を解決するための手段】
【０００７】
このような課題を達成するために、本発明では、請求項１の水質測定装置においては、
水中に設けられ一端に錘りが設けられ他端に浮きが設けられたワイヤと、水底から所定距離のワイヤの箇所にそれぞれ取り付けられた複数の取入口と、この複数の取入口を順次切替手段により切り替えて試料を取出手段により取出して水質を測定する水質計とを具備したことを特徴とする。
【０００８】
本発明の請求項２においては、請求項１記載の水質測定装置において、
前記取入口と前記取出手段とを連結する導水管が使用されたことを特徴とする。
【０００９】
本発明の請求項３においては、請求項１又は請求項２記載の水質測定装置において、
前記切替手段は、導水管の途中に設けられた切替弁が使用されたことを特徴とする。
【００１０】
本発明の請求項４においては、請求項１乃至請求項３の何れかに記載の水質測定装置において、
前記取出手段は、電動ポンプが使用されたことを特徴とする。
【００１１】
本発明の請求項５においては、請求項１乃至請求項４の何れかに記載の水質測定装置において、
前記切替手段，前記取出手段と前記水質計とは、フロート上に設けられたことを特徴とする。
【００１２】
本発明の請求項６においては、請求項５記載の水質測定装置において、
前記切替手段，前記取出手段と前記水質計の電源は、ソーラパネルあるいはバッテリーが使用されたことを特徴とする。
【００１３】
本発明の請求項７においては、請求項１乃至請求項６の何れかに記載の水質測定装置において、
前記水質計の測定結果信号は、無線により送信されることを特徴とする。
【００１４】
本発明の請求項８においては、請求項１乃至請求項７の何れかに記載の水質測定装置において、
前記フロートは水位変動係留手段を具備したことを特徴とする。
【００１５】
本発明の請求項９においては、請求項８記載の水質測定装置において、
前記水位変動係留手段は、前記フロートにれ設けられた滑車と、この滑車に途中が係止され一端に錨が設けられ他端に錘が設けられたワイヤとを具備したことを特徴とする。
【００１６】
本発明の請求項１０においては、請求項８記載の水質測定装置において、
前記水位変動係留手段は、前記フロートの両端側にそれぞれ設けられた２個の滑車と、この２個の滑車に途中が係止され両端に錨が設けられたワイヤと、前記２個の滑車間のワイヤに設けられた錘とを具備したことを特徴とする。
【発明の効果】
【００１７】
本発明の請求項１によれば、次のような効果がある。
水位変動によるエレベーション換算が不要になり、水位の変動に関わらず一定のエレベーションの水質を測定でき、水位変動のある水域での測定に好適な水質測定装置が得られる。
【００１８】
切替手段が設けられたので、取出手段は１個で良く、少ない動力での測定が可能な水質測定装置が得られる。
【００１９】
本発明の請求項２によれば、次のような効果がある。
取入口と取出手段とを連結する導水管が使用されたので、所定位置の試料を確実に取出すことができる水質測定装置が得られる。
【００２０】
本発明の請求項３によれば、次のような効果がある。
切替手段は、導水管の途中に設けられた切替弁が使用されたので、切替弁は市場性が有り、容易に入手できるので、安価な水質測定装置が得られる。
【００２１】
本発明の請求項４によれば、次のような効果がある。
取出手段は、電動ポンプが使用されたので、操作が容易であり容易に試料が取出せる水質測定装置が得られる。
【００２２】
本発明の請求項５によれば、次のような効果がある。
切替手段，取出手段と水質計とは、フロート上に設けられたので、装置の移動が容易な水質測定装置が得られる。
【００２３】
本発明の請求項６によれば、次のような効果がある。
切替手段，取出手段と水質計の電源は、ソーラパネルあるいはバッテリーが使用されたので、電動ウィンチのような大電力の電源を必要とせず、大容量の電源が無い場所でも容易に測定できる水質測定装置が得られる。
【００２４】
本発明の請求項７によれば、次のような効果がある。
水質計の測定結果信号は、無線により送信されるので、有線設備のない辺地でも容易に使用できる水質測定装置が得られる。
【００２５】
本発明の請求項８，請求項９，請求項１０によれば、次のような効果がある。
水位変動係留手段は、フロートに設けられた滑車と、ワイヤと、錘とを有するので、フロートが水位変動に容易に対処できる水質測定装置が得られる。
【発明を実施するための最良の形態】
【００２６】
以下本発明を図面を用いて詳細に説明する。
図１は本発明の一実施例の要部構成説明図である。
図において、図２と同一記号の構成は同一機能を表す。
以下、図２と相違部分のみ説明する。
【００２７】
ワイヤ１１は、水中に設けられ、一端に錘り１１１が設けられ他端に浮き１１２が設けられている。
複数の取入口１２は、水底Ａから所定距離Ｌ１，Ｌ２，Ｌ３のワイヤ１１の箇所にそれぞれ取り付けられている。
【００２８】
水質計１３は、複数の取入口１２を順次、切替手段１４により切り替えて、試料を取出手段１５により取出して水質を測定する。
測定槽１６は、水質計１３により試料を測定するための水槽である。
導水管１７は、取入口１２と取出手段１５とを連結する。
この場合は、切替手段１４は、導水管１７の途中に設けられた切替弁が使用されている。
【００２９】
また、取出手段１５は、電動ポンプが使用されている。
切替手段１４，取出手段１５と水質計１３とは、フロート１８上に設けられている。
切替手段１４，取出手段１５と水質計１３の電源は、ソーラパネルあるいはバッテリー１９が使用されている。
【００３０】
この場合は、フロート１８の一表面全体にソーラパネルが配置されている。
水質計１３の測定結果信号は、無線装置あるいは携帯電話２１により送信される。
【００３１】
フロート１８は水位変動係留手段２０を有する。
水位変動係留手段３０は、フロート１８の両端側にそれぞれ設けられた２個の滑車３１と、この２個の滑車３１に途中が係止され両端に錨３２が設けられたワイヤ３３と、２個の滑車３１間のワイヤ３３に設けられた錘３４とを有する。
【００３２】
以上の構成において、水質計１３により、複数の取入口１２を順次、切替手段１４により切り替えて、試料を取出手段１５により取出して水質を測定する。
【００３３】
この結果、
水位変動によるエレベーション換算が不要になり、水位の変動に関わらず一定のエレベーションの水質を測定でき、水位変動のある水域での測定に好適な水質測定装置が得られる。
【００３４】
切替手段１４が設けられたので、取出手段１５は１個で良く、少ない動力での測定が可能な水質測定装置が得られる。
【００３５】
取入口１２と取出手段１５とを連結する導水管１７が使用されたので、所定位置の試料を確実に取出すことができる水質測定装置が得られる。
【００３６】
切替手段１４は、導水管１７の途中に設けられた切替弁１４が使用されたので、切替弁は市場性が有り、容易に入手できるので、安価な水質測定装置が得られる。
【００３７】
取出手段１５は、電動ポンプ１５が使用されたので、操作が容易であり容易に試料が取出せる水質測定装置が得られる。
【００３８】
切替手段１４，取出手段１５と水質計１３とは、フロート１８上に設けられたので、装置の移動が容易な水質測定装置が得られる。
【００３９】
切替手段１４，取出手段１５と水質計１３の電源は、ソーラパネル１９あるいはバッテリーが使用されたので、電動ウィンチのような大電力の電源を必要とせず、大容量の電源が無い場所でも容易に測定できる水質測定装置が得られる。
【００４０】
水質計１３の測定結果信号は、無線により送信されるので、有線設備のない辺地でも容易に使用できる水質測定装置が得られる。
【００４１】
水位変動係留手段３０は、フロート１８の両端側にそれぞれ設けられた２個の滑車３１と、この２個の滑車３１に途中が係止され両端に錨３２が設けられたワイヤ３３と、２個の滑車３１間のワイヤ３３に設けられた錘３４とを有するので、フロート１８が水位変動に容易に対処できる水質測定装置が得られる。
【００４２】
なお、前述の実施例においては、滑車３１と錨３２とが２個の例に付いて、説明したが、これに限ることはなく、滑車３１と錨３２はそれぞれ１個であっても良い。
要するに、フロート１８が水位変動に容易に対処できるものであれば良い。
【図面の簡単な説明】
【００４３】
【図１】本発明の一実施例の要部構成説明図である。
【図２】従来の水質測定装置の一例を示す要部構成説明図である。
【符号の説明】
【００４４】
１１    ワイヤ
１１１  錘り
１１２  浮き
１２    取入口
１３    水質計
１４    切替手段
１５    取出手段
１６    測定槽
１７    導水管
１８    フロート
１９    ソーラパネル
２１    無線装置あるいは携帯電話
３０    水位変動係留手段
３１    滑車
３２    錨
３３    ワイヤ
３４    錘
Ａ      水底
【図１】
2005055238.tif 000003
【図２】
2005055238.tif 000004